(57)【特許請求の範囲】
【請求項１】
顕微鏡本体と、標本を設置するステージと、前記ステージと前記顕微鏡本体との間にあって前記ステージを前記顕微鏡本体に固定する前記顕微鏡本体の前側固定部と後側固定部、又は複数の支柱と、前記ステージの下側から前記標本を観察する対物レンズと、前記対物レンズで取り込んだ標本像を前記ステージより高い位置に設けられた接眼レンズで観察する観察光学系と、前記対物レンズと前記対物レンズで取り込んだ標本像を前記対物レンズの光軸に沿って斜め方向に反射する反射ミラーとの間に設置され、複数の光学素子を切換え可能な光学素子切換え装置と、を有する倒立顕微鏡において、
前記光学素子切換え装置の上面に設けられ、前記光学素子切換え装置に内蔵された複数の光学素子のうち、前記観察光学系の光路中にある光学素子の種類を表示する表示部と、
前記光学素子切換え装置の上面に設けられ、前記表示部を上方から視認するための第１の開口部と、
前記顕微鏡本体の前側に設けた前記ステージの切欠部と、前記顕微鏡本体の前記前側固定部の前面中央部又は前記複数の支柱のうちの前記顕微鏡本体の前面側の支柱同士の間と、の少なくとも一方に設けた第２の開口部とを具備し、
前記第１の開口部と前記第２の開口部の各々の大きさを、前記接眼レンズの上側近傍から前記第１の開口部と前記第２の開口部を通して前記表示部が目視可能となる大きさに設定したことを特徴とする倒立顕微鏡。
【請求項２】
顕微鏡本体と、標本を設置するステージと、前記ステージと前記顕微鏡本体との間にあって前記ステージを前記顕微鏡本体に固定する前記顕微鏡本体の前側固定部と後側固定部、又は複数の支柱と、前記ステージの下側から前記標本を観察する対物レンズと、前記対物レンズで取り込んだ標本像を前記対物レンズの光軸に沿って斜め上方向に反射する反射ミラーと、前記反射ミラーで反射された標本像をリレー光学系によりリレーされた後に観察する、前記ステージより高い位置に設けられる観察鏡筒に設けられた接眼レンズと、前記対物レンズと前記反射ミラーとの間に設置され、複数の光学素子を切換え可能な光学素子切換え装置と、を有する倒立顕微鏡において、
前記光学素子切換え装置の上面に設けられ、前記光学素子切換え装置に内蔵された複数の光学素子のうち、前記対物レンズの光軸上にある光学素子の種類を表示する表示部と、
前記光学素子切換え装置の上面に設けられ、前記表示部を上方から視認するための第１の開口部と、
前記顕微鏡本体の前側に設けた前記ステージの切欠部と、前記顕微鏡本体の前記前側固定部の前面中央部又は前記複数の支柱のうちの前記顕微鏡本体の前面側の支柱同士の間と、の少なくとも一方に設けた第２の開口部とを具備し、
前記第１の開口部と前記第２の開口部の各々の大きさを、前記接眼レンズの上側近傍から前記第１の開口部と前記第２の開口部を通して前記表示部を目視可能となる大きさに設定したことを特徴とする倒立顕微鏡。
【請求項３】
請求項１または２の倒立顕微鏡において、
前記表示部の表示は数字であり、前記数字と前記光学素子切換え装置に内蔵された複数の光学素子の名称または種類とを対応付けする複数の表示板を、前記顕微鏡本体の前側部分に設けたことを特徴とする倒立顕微鏡。
【発明の詳細な説明】
【０００１】
【発明の属する技術分野】
本発明は、ステージ上に置いた標本を、ステージ下側から対物レンズにより拡大観察する倒立顕微鏡に関するものである。
【０００２】
【従来の技術】
ステージ上に載置した標本を下側から観察する倒立顕微鏡の代表的な構成として、特開平８−９４９４０号公報に開示されるものが知られている。すなわち、かかる倒立顕微鏡は、標本を載置するステージが顕微鏡本体に固定され、このステージの下方に、標本を拡大観察するための対物レンズ、この対物レンズを選択的に光路に挿入するためのレボルバおよび光源からの照明光の波長を選択的に標本側に折り返すための各種の光学素子を有し、これらの光学素子を選択的に光路中に挿脱して光学系を切換える光学系切換え装置などが配置されている。そして、これら対物レンズ、レボルバおよび光学系切換え装置は、顕微鏡本体の外部より切換えなどの各種操作が可能になっており、これらの操作を行うために顕微鏡本体のステージ固定部に開口部が設けられている。
【０００３】
ところが、一般に顕微鏡本体の前面側は、顕微鏡観察のための光路が配置されるため、対物レンズ、レボルバおよび光学系切換え装置の操作を行う開口部は、顕微鏡本体の正面から見て左右側面に開けられているのが通常である。このため、光学系切換え装置に設けられている現在光路中に挿入されている光学素子を示す表示などは、顕微鏡本体の左右側面の開口部を覗き込んで確認するようになり、このため、観察者は、標本観察の姿勢から体を大きく移動させなければならず、確認作業が煩わしいという問題があった。
【０００４】
このような問題を解決する手段として、特開平６−３３１８７９号公報に開示されるように、光路上に挿入された光学素子に対応するバーコードをバーコードスキャナにより読み取り、この読取りにより得られる識別情報をディスプレイに表示することにより、光路中に挿入されている光学素子を確認できるようにしたものがある。
【０００５】
【発明が解決しようとする課題】
ところが、このように構成したものは、光路中に挿入された光学素子がバーコードスキャナにより電気的に識別されるため、専用のバーコードスキャナが必要になるなど構成が複雑となるとともに、光学素子の識別情報を表示するためのディスプレイも別途必要になるため、価格的に高価になってしまうという問題があった。
【０００６】
本発明は上記事情に鑑みてなされたもので、光路上に挿入された光学素子の確認を容易にして迅速な切換えを可能とし、さらに価格的にも安価にできる倒立顕微鏡を提供することを目的とする。
【０００７】
【課題を解決するための手段】
請求項１記載の発明は、顕微鏡本体と、標本を設置するステージと、前記ステージと前記顕微鏡本体との間にあって前記ステージを前記顕微鏡本体に固定する前記顕微鏡本体の前側固定部と後側固定部、又は複数の支柱と、前記ステージの下側から前記標本を観察する対物レンズと、前記対物レンズで取り込んだ標本像を前記ステージより高い位置に設けられた接眼レンズで観察する観察光学系と、前記対物レンズと前記対物レンズで取り込んだ標本像を前記対物レンズの光軸に沿って斜め方向に反射する反射ミラーとの間に設置され、複数の光学素子を切換え可能な光学素子切換え装置と、を有する倒立顕微鏡において、前記光学素子切換え装置の上面に設けられ、前記光学素子切換え装置に内蔵された複数の光学素子のうち、前記観察光学系の光路中にある光学素子の種類を表示する表示部と、前記光学素子切換え装置の上面に設けられ、前記表示部を上方から視認するための第１の開口部と、前記顕微鏡本体の前側に設けた前記ステージの切欠部と、前記顕微鏡本体の前記前側固定部の前面中央部又は前記複数の支柱のうちの前記顕微鏡本体の前面側の支柱同士の間と、の少なくとも一方に設けた第２の開口部とを具備し、前記第１の開口部と前記第２の開口部の各々の大きさを、前記接眼レンズの上側近傍から前記第１の開口部と前記第２の開口部を通して前記表示部が目視可能となる大きさに設定したことを特徴としている。
【０００８】
請求項２記載の発明は、顕微鏡本体と、標本を設置するステージと、前記ステージと前記顕微鏡本体との間にあって前記ステージを前記顕微鏡本体に固定する前記顕微鏡本体の前側固定部と後側固定部、又は複数の支柱と、前記ステージの下側から前記標本を観察する対物レンズと、前記対物レンズで取り込んだ標本像を前記対物レンズの光軸に沿って斜め上方向に反射する反射ミラーと、前記反射ミラーで反射された標本像をリレー光学系によりリレーされた後に観察する、前記ステージより高い位置に設けられる観察鏡筒に設けられた接眼レンズと、前記対物レンズと前記反射ミラーとの間に設置され、複数の光学素子を切換え可能な光学素子切換え装置と、を有する倒立顕微鏡において、前記光学素子切換え装置の上面に設けられ、前記光学素子切換え装置に内蔵された複数の光学素子のうち、前記対物レンズの光軸上にある光学素子の種類を表示する表示部と、前記光学素子切換え装置の上面に設けられ、前記表示部を上方から視認するための第１の開口部と、前記顕微鏡本体の前側に設けた前記ステージの切欠部と、前記顕微鏡本体の前記前側固定部の前面中央部又は前記複数の支柱のうちの前記顕微鏡本体の前面側の支柱同士の間と、の少なくとも一方に設けた第２の開口部とを具備し、前記第１の開口部と前記第２の開口部の各々の大きさを、前記接眼レンズの上側近傍から前記第１の開口部と前記第２の開口部を通して前記表示部を目視可能となる大きさに設定したことを特徴としている。
また、請求項３記載の発明は、請求項１または２記載の発明において、前記表示部の表示は数字であり、前記数字と前記光学素子切換え装置に内蔵された複数の光学素子の名称または種類とを対応付けする複数の表示板を、前記顕微鏡本体の前側部分に設けたことを特徴としている。
【０００９】
この結果、本発明によれば、観察者は、顕微鏡観察状態での目の位置を僅かに移動させるだけで、光路中に挿入されている光学素子を確認でき、また、この時点でどの程度の切換え操作を行えば所望する光学素子を光路中に挿入できるかを容易に確認できるので、観察条件の変更に伴う光学素子の切換えを迅速に行うことができる。また、光学素子に対応する表示部を確認するだけの簡単な構成なので、価格的にも安価にできる。
【００１０】
【発明の実施の形態】
以下、本発明の実施の形態を図面に従い説明する。
【００１１】
(第１の実施の形態)
図１は、本発明が適用される倒立顕微鏡の概略構成を示している。図において、１は顕微鏡本体で、この顕微鏡本体１の前側固定部１ａと後側固定部１ｂ上には、ステージ３が配置され、このステージ３上に標本２が載置されている。
【００１２】
４はハロゲンランプ水銀等による落射照明光源で、この落射照明光源４からの光束は、顕微鏡本体１に導かれ、ダイクロイックミラー５により反射され、対物レンズ６を介して標本２に照射される。この場合、対物レンズ６は、レボルバー７に複数保持され択一的に光軸１４上に配置される。
【００１３】
そして、標本２からの反射光は、観察光学系を構成するダイクロイックミラー５を透過し、結像レンズ８により対物レンズ６とともに標本２の拡大像が形成され、反射ミラー９により斜め上方向に反射され、リレー光学系１０によってリレーされた後に観察鏡筒１１に取り付けられた接眼レンズ１２に入射して、観察者の目に到達し観察される。
【００１４】
この場合、複数の対物レンズ６を保持したレボルバー７は、保持部１３により顕微鏡本体１に保持されている。この保持部１３は、図示しない焦準ハンドル操作によりレボルバー７を光軸１４に沿って上下動させて、ステージ３上の標本２と対物レンズ６との相対距離を変化させ、標本２のピント合わせを可能にしている。また、ダイクロイックミラー５は、対物レンズ６と反射ミラー９との間に配置された光学素子切換え装置１５に設けられている。この光学素子切換え装置１５は、ダイクロイックミラー５を含む光学素子２４(詳細は後述する)を複数個有していて、これら各種の光学素子２４を選択的に上述の観察光学系の光軸１４と落射照明光源４からの光路の交点に配置させるようになっている。
【００１５】
なお、図面中、１６は、透過照明光源で、この透過照明光源１６からの光束は、反射ミラー１７で反射され、光軸１４に沿って標本２に照射できるようになっている。
【００１６】
図２（ａ）は、光学素子切換え装置１５の概略構成を示している。
【００１７】
図において、２１は回転部材で、この回転部材２１は、円板状をなすとともに、その中心部を回転軸２２により顕微鏡本体１側に回転自在に支持されている。
回転部材２１の回転中心部には、光学素子保持部材２３が設けられている。この光学素子保持部材２３は、円周方向に沿って複数のオスアリ２３ａが形成され、これらオスアリ２３ａには、光学素子２４が着脱可能に設けられている。この場合、光学素子２４は、例えば、顕微鏡の蛍光観察に一般的に用いられるものとして、図２(ｂ)に示すように励起フィルタ２４ａ、ダイクロイックミラー２４ｂ(上述したダイクロイックミラー５に該当する。)、吸収フィルタ２４ｃから構成されている。これらの光学素子２４は、回転部材２１の回転操作により所望のものが図１で述べた光軸１４と落射照明光源４からの光路の交点に配置されるようになっている。
【００１８】
光学素子保持部材２３上には、各オスアリ２３ａ毎に光学素子２４を特定するための表示部として数字２３ｂが付されている。この場合、数字２３ｂは、回転軸２２を挟んで反対側に位置される光学素子２４を表わすような位置関係で光学素子保持部材２３上に付されている。
【００１９】
回転部材２１には、光学素子２４を覆うようなカバー２５が設けられている。
このカバー２５は、回転軸２２に対して固定されていて、カバー２５の下側から回転部材２１を外部より回転操作するための回転操作部２１ａが露出して設けられている。また、カバー２５の一部には、光学素子２４を交換するための開口部２５ａが設けられている。この開口部２５ａには、通常、外部から埃などが入らないようにマグネット２７により蓋部２６が固定されており、光学素子２４を交換する際に、蓋部２６を取外して開口部２５ａより交換を行うようにしている。
【００２０】
カバー２５上面には、さらに円形の開口部２５ｂが設けられている。この開口部２５ｂは、光学素子保持部材２３上の数字２３ｂを外部から見えるようにするためのもので、ここでは、光軸１４上に配置された光学素子２４を表わす数字２３ｂが見えるようになっている。
【００２１】
図３（ａ）は、図１に示した倒立顕微鏡を図示Ｓ矢印方向からみた図である。
【００２２】
この場合、顕微鏡本体１は、前側固定部１ａの前面中央部に開口部１ｃが設けられている。この開口部１ｃは、同図(ｂ)に示すように顕微鏡本体１内部に位置される光学素子切換え装置１５のカバー２５の開口部２５ｂが顕微鏡本体１の外部から見えるようにするためのもので、接眼レンズ１２により標本観察している観察者が、開口部１ｃを通してカバー２５上面の開口部２５ｂより光軸１４上に配置された光学素子２４を表わす数字２３ｂを覗き見できるようになっている。
【００２３】
顕微鏡本体１の接眼レンズ１２の近傍には、図３(ｃ)に示すように第２の表示部として複数の表示板２８ａが設けられている。これら表示板２８ａは、数字２３ｂに対応する光学素子２４の名称や種類を記したもので、これら表示板２８ａは、それぞれ着脱可能なポケット２８ｂに収納されている。
【００２４】
このような構成によると、常時、観察者は、図１に示す目の位置Ａで、接眼レンズ１２を通しての通常の顕微鏡観察を行う。
【００２５】
この状態から、観察条件の変更にともない光路中の光学素子２４を切換えたい場合は、観察者は目の位置をＢに移動し、顕微鏡本体１の前側固定部１ａの開口部１ｃを通して光学素子切換え装置１５のカバー２５上面の開口部２５ｂより光学素子２４を表わす数字２３ｂを覗き見する。
【００２６】
次に、開口部２５ｂより見える数字２３ｂから光軸１４上に位置される光学素子２４を確認し、回転操作部２１ａを操作し回転部材２１を回転させ、所望する光学素子２４に対応する数字２３ｂが開口部１ｃより確認できるまで操作を続ける。この場合、顕微鏡本体１の接眼レンズ１２の近傍に設けられた表示板２８ａを合わせて利用すれば、容易に光軸１４上に位置される光学素子２４を確認することができる。また、各表示板２８ａは、光学素子２４の名称や種類を示しているので、どのような種類の光学素子２４が光学素子切換え装置１５にセットされていて、何番の数字２３ｂが開口部２５ｂより見えたときに、どれだけの回転部材２１を回転操作させれば所望する光学素子２４が光軸１４上に位置するかが一目して判断できる。
【００２７】
そして、所望する光学素子２４に対応する数字２３ｂが開口部１ｃを通して確認できたならば、回転部材２１の回転操作を終了する。これにより、新たな観察条件に最適な光学素子２４を光路中に切換えることができ、観察者は、再び目の位置をＡに戻すことで、接眼レンズ１２を通しての通常の顕微鏡観察を行うことができる。
【００２８】
従って、このようにすれば、観察者は、顕微鏡観察状態での目の位置をＡからＢに僅かに移動させるだけで、光路中に挿入されている光学素子２４の種類などを確認でき、また、この時点でどの程度の切換え操作を行えば所望する光学素子２４を光路中に挿入できるかを容易に確認できるので、観察条件の変更に伴う光学素子２４の切換えを迅速に行うことができる。また、光学素子２４に対応する数字２３ｂが開口部１ｃを通して確認するだけの簡単な構成なので、従来の電気的手段を用いたものと比べて価格的にも安価にできる。
【００２９】
なお、上述した実施の形態では、数字２３ｂに対応する光学素子２４の名称や種類を記した表示板２８ａを接眼レンズ１２の近傍に配置した例を述べたが、顕微鏡本体１の前側固定部１ａの開口部１ｃの端部に設けるようにしてもよい。また、光学素子保持部材２３上に付された数字２３ｂや表示板２８ａに記された光学素子２４の名称や種類などを蛍光塗料により表示させるようにしてもよい。こうすると、暗い部屋での観察においても、これらの表示内容を確実に読み取ることができる。さらに、上述した実施の形態では、光学素子保持部材２３上の表示部として数字２３ｂを例として述べたが、光学素子２４の種類など示す名称などを直接表示するようにしてもよい。こうすれば、現在光軸１４上に配置されている光学素子２４を直接知ることができるようになる。さらにまた、カバー２５上面の開口部２５ｂには、防塵用のガラスなどを嵌め込むようにしてもよいし、凸レンズを嵌め込むようにしてもよい。凸レンズを嵌め込んだ場合は、光学素子保持部材２３上の数字２３ｂが拡大され、これらの認識を容易にできる。
【００３０】
(第２の実施の形態)
次に、本発明の第２の実施の形態を説明する。図４、図５は、第２の実施の形態の概略構成を示すもので、図１と同一部分には、同符号を付している。
【００３１】
この場合、顕微鏡本体１は、ステージ３を複数の支柱３１により支持するようにしている。この場合、これら複数の支柱３１は、顕微鏡本体１前面側で、支柱３１同士の間に隙間３２ができるように配置して、この隙間３２から上述したカバー２５上面の開口部２５ｂより光学素子２４を表わす数字２３ｂを覗き見できるようになっている。この場合、ステージ３に切り欠き部３３を形成して隙間３２と合わせた視野を広げるようにすれば、さらにカバー２５上面の開口部２５ｂを介した数字２３ｂを見やすくできる。
【００３２】
このようにしても、上述した第１の実施の形態と同様な効果を期待できる。
【００３３】
(第３の実施の形態)
次に、本発明の第３の実施の形態を説明する。図６は、第３の実施の形態の要部の概略構成を示すもので、図２と同一部分には、同符号を付している。
【００３４】
この場合、光学素子切換え装置１５の回転部材２１を覆うカバー２５は、光学素子保持部材２３上の数字２３ｂを外部から見えるようにするための開口部３４を大き目に形成し、一度に複数(図示例では３個)の数字２３ｂを外部から見えるようにしている。このようにすると、回転部材２１を回転させた場合、数字２３ｂが増えていく方向なのか、減って行く方向なのかを一目して判断できるので、所望する光学素子２４の光軸１４への移動をスムーズにできる。
【００３５】
また、開口部３４は、第１の実施の形態で述べた円形の開口部２５ｂの縁部に「＋」「−」や「←」「→」の表示を付けることで、同様な効果を得ることができる。
【００３６】
(第４の実施の形態)
次に、本発明の第４の実施の形態を説明する。図７は、第４の実施の形態の要部の概略構成を示している。
【００３７】
この場合、光学素子切換え装置１５は、固定部材３６に対して可動部材３７が直線方向に移動可能に設けられている。可動部材３７には、移動方向に沿って複数のオスアリ３７ａが配置され、これらオスアリ３７ａに光学素子２４が着脱可能に設けられている。また、可動部材３７上には、各オスアリ３７ａ毎に光学素子２４を特定すための表示部として数字２３ｂが付されている。
【００３８】
可動部材３７には、光学素子２４を覆うようなカバー３８が設けられ、このカバー３８上面に、開口部３８ａが設けられている。この開口部３８ａは、可動部材３７上の数字２３ｂを外部から見えるようにするためのもので、ここでは、光軸１４上に配置された光学素子２４を表わす数字２３ｂが見えるようになっている。
【００３９】
このようにしても、図３で述べたように、顕微鏡本体１の前側固定部１ａに設けられた開口部１ｃを通して顕微鏡本体１内部に位置される光学素子切換え装置１５のカバー３８の開口部３８ａを顕微鏡本体１の外部から見えるようにすれば、接眼レンズ１２により標本観察している観察者は、カバー３８上面の開口部３８ａより光学素子２４を表わす数字２３ｂを簡単に覗き見するこができる。
【００４０】
なお、本発明は、上記実施の形態に限定されるものでなく、実施段階では、その要旨を変更しない範囲で種々変形することが可能である。
【００４１】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００４２】
【発明の効果】
以上述べたように本発明によれば、光路上に挿入された光学素子の確認を容易にして迅速な切換えを可能とし、さらに価格的にも安価にできる倒立顕微鏡を提供できる。
【図面の簡単な説明】
【図１】本発明の第１の実施の形態の概略構成を示す図。
【図２】第１の実施の形態に用いられる光学素子切換え装置の概略構成を示す図。
【図３】第１の実施の形態の要部の概略構成を示す図。
【図４】本発明の第２の実施の形態の概略構成を示す図。
【図５】第２の実施の形態の要部の概略構成を示す図。
【図６】本発明の第３の実施の形態の要部の概略構成を示す図。
【図７】本発明の第４の実施の形態の要部の概略構成を示す図。
【符号の説明】
１…顕微鏡本体
１ａ…前側固定部
１ｂ…後側固定部
１ｃ…開口部
２…標本
３…ステージ
４…落射照明光源
５…ダイクロイックミラー
６…対物レンズ
７…レボルバー
８…結像レンズ
９…反射ミラー
１０…リレー光学系
１１…観察鏡筒
１２…接眼レンズ
１３…保持部
１４…光軸
１５…光学素子切換え装置
１６…透過照明光源
１７…反射ミラー
２１…回転部材
２１ａ…回転操作部
２２…回転軸
２３…光学素子保持部材
２３ａ…オスアリ
２３ｂ…数字
２４…光学素子
２４ａ…励起フィルタ
２４ｂ…ダイクロイックミラー
２４ｃ…吸収フィルタ
２５…カバー
２５ａ…開口部
２５ｂ…開口部
２６…蓋部
２７…マグネット
２８ａ…表示板
２８ｂ…ポケット
３１…支柱
３２…隙間
３３…欠き部
３４…開口部
３６…固定部材
３７…可動部材
３７ａ…オスアリ
３８…カバー
３８ａ…開口部
【図１】
0004584508.tif 000002
【図２】
0004584508.tif 000003
【図３】
0004584508.tif 000004
【図４】
0004584508.tif 000005
【図５】
0004584508.tif 000006
【図６】
0004584508.tif 000007
【図７】
0004584508.tif 000008